(57)【要約】【課題】入力電流を検知し所定の制御値に制御する機能を有する炊飯器において、入力電圧検知手段により検知した値が定格電圧より高いときは、入力電力を定格値に制御し、ふきこぼれをなくすとともに電子部品への負担を低減する。【解決手段】炊飯容器となる鍋１３を加熱手段１４により加熱し、商用電源１１の電圧を入力電圧検知手段１６により検知するとともに、商用電源１１からの電流を入力電流検知手段１５により検知する。マイクロコンピュータ２１は、操作手段１７に設けた入力電力補正スイッチ１９が押されると、入力電圧検知手段１６により検知した値が予め設定している電圧閾値よりも大きいときは、入力電圧検知手段１６により検知した値と入力電流検知手段１５により検知した値の積を予め設定している電力制御値に補正し、その補正後の値を制御値として制御する機能を有する。【選択図】　図１
2004024645.tif 000002
【特許請求の範囲】
【請求項１】
炊飯容器となる鍋と、前記鍋を加熱する加熱手段と、商用電源の電圧を検知する入力電圧検知手段と、商用電源からの電流を検知する入力電流検知手段と、入力電力補正スイッチを有する操作手段と、入力電流制御値を有する制御手段と、マイクロコンピュータとを備え、前記マイクロコンピュータは、前記入力電力補正スイッチが押されると、前記入力電圧検知手段により検知した値が予め設定している電圧閾値よりも大きいときは、前記入力電圧検知手段により検知した値と前記入力電流検知手段により検知した値の積を予め設定している電力制御値に補正し、その補正後の値を制御値として制御する機能を有する炊飯器。
【請求項２】
電力補正を自動実行するよう設定する入力電力補正切換手段を備え、前記入力電力補正切換手段により電力補正を有効にしたとき、入力電圧検知手段により検知した値が予め設定している電圧閾値よりも大きいときは、前記入力電圧検知手段により検知した値と前記入力電流検知手段により検知した値の積が予め設定している電力制御値になるように自動的に制御する機能を有する請求項１記載の炊飯器。
【請求項３】
入力電力補正切換手段により、電力補正を無効としたとき、入力電圧検知手段により検知した値に関わらず入力電流の補正を行わない機能を有する請求項２記載の炊飯器。
【発明の詳細な説明】
【０００１】
【発明の属する技術分野】
本発明は、入力電流を検知して所定の制御値に制御する機能を有する炊飯器に関するものである。
【０００２】
【従来の技術】
従来、この種の炊飯器は図５に示すように構成していた。以下、その構成について説明する。
【０００３】
図５に示すように、商用電源１は、整流回路２により整流し、その直流電力をインバータ回路４ａにより高周波電力に変換し、加熱手段４により炊飯容器となる鍋３を加熱するよう構成している。入力電流検知手段５は商用電源１からの入力電流を検知し、入力電圧検知手段６は商用電源１の電圧を検知するものである。操作手段８は開始スイッチ８ａを有し、マイクロコンピュータ７に接続している。制御手段９は、入力電流を制御するもので、入力電流制御値Ｉｃを有し、入力電流検知手段５の出力と入力電圧検知手段６の出力を入力し、インバータ回路４ａの動作を制御するよう構成している。
【０００４】
上記構成において動作を説明する。制御手段９は、入力電流の制御用に予め設定している電流制御値Ｉｃを有し、入力電流検知手段５により検知した値が電流制御値と一致するように制御していた。
【０００５】
【発明が解決しようとする課題】
しかしながら、このような従来の炊飯器では、入力電圧検知手段６により検知した値が定格電圧より高いときには、商用電源１からの入力電力が定格を上回り、必要以上に入力電力が大きくなって、ふきこぼれが発生し、電子部品への負担が大きくなるといった問題があった。
【０００６】
本発明は上記従来の課題を解決するもので、入力電圧検知手段により検知した値が定格電圧より高いときには、入力電力を定格値に制御し、ふきこぼれをなくすとともに、電子部品への負担を低減することを目的としている。
【０００７】
【課題を解決するための手段】
本発明は上記目的を達成するために、炊飯容器となる鍋を加熱手段により加熱し、商用電源の電圧を入力電圧検知手段により検知するとともに、商用電源からの電流を入力電流検知手段により検知し、入力電流制御値を有する制御手段と、マイクロコンピュータとを有し、マイクロコンピュータは、操作手段に設けた入力電力補正スイッチが押されると、入力電圧検知手段により検知した値が予め設定している電圧閾値よりも大きいときは、入力電圧検知手段により検知した値と入力電流検知手段により検知した値の積を予め設定している電力制御値に補正し、その補正後の値を制御値として制御する機能を有するものである。
【０００８】
これにより、入力電圧検知手段により検知した値が定格電圧より高いときには、入力電力を定格値に制御でき、ふきこぼれをなくすことができるとともに、電子部品への負担を低減することができる。
【０００９】
【発明の実施の形態】
本発明の請求項１に記載の発明は、炊飯容器となる鍋と、前記鍋を加熱する加熱手段と、商用電源の電圧を検知する入力電圧検知手段と、商用電源からの電流を検知する入力電流検知手段と、入力電力補正スイッチを有する操作手段と、入力電流制御値を有する制御手段と、マイクロコンピュータとを備え、前記マイクロコンピュータは、前記入力電力補正スイッチが押されると、前記入力電圧検知手段により検知した値が予め設定している電圧閾値よりも大きいときは、前記入力電圧検知手段により検知した値と前記入力電流検知手段により検知した値の積を予め設定している電力制御値に補正し、その補正後の値を制御値として制御する機能を有するものであり、入力電圧検知手段により検知した値が定格電圧より高いときには、入力電力を定格値に制御でき、ふきこぼれをなくすことができるとともに、電子部品への負担を低減することができる。
【００１０】
請求項２に記載の発明は、上記請求項１に記載の発明において、電力補正を自動実行するよう設定する入力電力補正切換手段を備え、前記入力電力補正切換手段により電力補正を有効にしたとき、入力電圧検知手段により検知した値が予め設定している電圧閾値よりも大きいときは、前記入力電圧検知手段により検知した値と前記入力電流検知手段により検知した値の積が予め設定している電力制御値になるように自動的に制御する機能を有するものであり、各電力制御値における入力電圧に対して電力補正を行うので、正確に定格電力で動作することができる。
【００１１】
請求項３に記載の発明は、上記請求項２に記載の発明において、入力電力補正切換手段により、電力補正を無効としたとき、入力電圧検知手段により検知した値に関わらず入力電流の補正を行わない機能を有するものであり、電源ノイズなどの影響により、入力電圧検知手段により検知した値が実際よりも大きいと誤判定して、必要以上に入力電力の補正を行っているときには、本来のおいしいごはんを炊きあげることができる。
【００１２】
【実施例】
以下、本発明の実施例について、図面を参照しながら説明する。
【００１３】
（実施例１）
図１に示すように、商用電源１１は、整流回路１２により整流し、その直流電力をインバータ回路１４ａにより高周波電力に変換し、加熱手段１４により炊飯容器となる鍋１３を加熱するよう構成している。入力電流検知手段１５は商用電源１１からの入力電流を検知し、入力電圧検知手段１６は商用電源１１の電圧を検知するものである。
【００１４】
操作手段１７は開始スイッチ１８と入力電力補正スイッチ１９を有し、マイクロコンピュータ２１に接続している。制御手段２０は、入力電流を制御するもので、入力電流制御値Ｉｃを有し、入力電流検知手段１５の出力と入力電圧検知手段１６の出力を入力し、インバータ回路１４ａの動作を制御するよう構成している。
【００１５】
ここで、マイクロコンピュータ２１は、電力制御値Ｗｃと電圧閾値Ｖｓを有し、入力電力補正スイッチ１９が押されると、入力電圧検知手段１６により検知した値が予め設定している電圧閾値Ｖｓよりも大きいときは、入力電圧検知手段１６により検知した値と入力電流検知手段１５により検知した値の積を予め設定している電力制御値に補正し、その補正後の値を制御値として制御する機能を有する。
【００１６】
上記構成において図２を参照しながら動作を説明する。ステップ３０にて入力電力補正スイッチ１９が押されると、ステップ３１に進む。ステップ３１にて入力電圧検知手段１６により検知した値が予め設定された電圧閾値Ｖｓよりも大きいかどうかを判定し、大きいときにはステップ３２に進み、以下のときにはステップ３３に進む。
【００１７】
ステップ３２において、入力電圧検知手段１６により検知した値と入力電流検知手段１５により検知した値の積が予め設定された電力制御値Ｗｃとなるように、入力電流制御値Ｉｃを補正し、入力電流検知手段１５により検知した値が補正後の電流制御値と一致するように制御し、ステップ３４に進み入力電力補正を終了する。ステップ３３において、入力電力補正はせずに終了する。
【００１８】
このように本実施例によれば、電力補正スイッチ１９が押された場合、入力電圧検知手段１６により検知した値が定格電圧より高いときには、入力電力を定格値に補正することで、不必要なふきこぼれや電子部品への負担をなくすことができる。その結果、本来のおいしいごはんを提供することができるとともに、商品の寿命を長くすることができる。
【００１９】
（実施例２）
図３に示すように、入力電力補正切換手段２２は、電力補正を自動実行するよう設定するもので、操作手段２３に設けている。マイクロコンピュータ２４は、入力電力補正切換手段２２により電力補正を有効にしたとき、入力電圧検知手段１６により検知した値が予め設定している電圧閾値Ｖｓよりも大きいときは、入力電圧検知手段１６により検知した値と入力電流検知手段１５により検知した値の積が予め設定している電力制御値になるように自動的に制御する機能を有する。他の構成は上記実施例１と同じであり、同一符号を付して説明を省略する。
【００２０】
上記構成において図４を参照しながら動作を説明する。図４において、一例として、入力電力が３種類ある場合について説明する。
【００２１】
ステップ４０にて入力電力補正切換手段２２を有効に設定し、ステップ４１に進み、ステップ４１にて開始スイッチ１６が押されると、ステップ４２に進む。ステップ４２にて入力電圧検知手段１６により検知した値が予め設定された電圧閾値Ｖｓよりも大きいかどうかを判定し、大きいときにはステップ４３に進み、以下のときにはステップ４４に進む。
【００２２】
ステップ４３において、パワーが第一の入力電力かどうかを判定し、第一の入力電力であればステップ４５に進み、そうでなければステップ４６へ進む。ステップ４５において、入力電圧検知手段１６により検知した値と入力電流検知手段１５により検知した値の積が予め設定された第一の電力制御値Ｗｃ１となるように、入力電流制御値Ｉｃを補正し、ステップ４７に進む。
【００２３】
ステップ４６において、パワーが第二の入力電力かどうかを判定し、第二の入力電力であればステップ４８に進み、そうでなければステップ４９へ進む。ステップ４８において、入力電圧検知手段１６により検知した値と入力電流検知手段１５により検知した値の積が予め設定された第二の電力制御値Ｗｃ２となるように、入力電流制御値Ｉｃを補正し、ステップ４７に進む。
【００２４】
ステップ４９において、入力電圧検知手段１６により検知した値と入力電流検知手段１５により検知した値の積が予め設定された第三の電力制御値Ｗｃ３となるように、入力電流制御値Ｉｃを補正し、ステップ４７に進む。
【００２５】
ステップ４７において、待機モードかどうかを判定し、待機モードであればステップ５０に進み、そうでなければステップ４２へ戻り、上述の動作を繰り返す。ステップ５０において入力電力補正を終了する。
【００２６】
このように本実施例によれば、入力電力補正切換手段２２により電力補正を有効に設定された場合、予め設定された各電力制御値で、実動作時の電圧降下が異なり、入力電圧が異なる場合でも、各電力制御値における入力電圧に対して電力補正を行うので、正確に定格電力で動作し、不必要なふきこぼれや電子部品への負担をなくすことができる。その結果、さらにおいしいごはんを提供することができるとともに、商品の寿命をさらに長くすることができる。
【００２７】
（実施例３）
図３に示すマイクロコンピュータ２１は、入力電力補正切換手段２２により、電力補正を無効としたとき、開始スイッチ１６が押されても、入力電圧検知手段１６により検知した値に関わらず入力電流の補正を行わず、予め設定された入力電流制御値に制御するようにしている。他の構成は上記実施例２と同じである。
【００２８】
その結果、商用電源１１の電源ノイズなどの影響により、入力電圧検知手段１６により検知した値が実際よりも大きいと誤判定して、必要以上に入力電力の補正を行い、入力電流制御値Ｉｃを小さくしすぎているときには、入力電力補正切換手段２２により電力補正を無効にすることで、ご飯の出来上がりを本来のおいしいものにすることができる。
【００２９】
【発明の効果】
以上のように本発明の請求項１に記載の発明によれば、炊飯容器となる鍋と、前記鍋を加熱する加熱手段と、商用電源の電圧を検知する入力電圧検知手段と、商用電源からの電流を検知する入力電流検知手段と、入力電力補正スイッチを有する操作手段と、入力電流制御値を有する制御手段と、マイクロコンピュータとを備え、前記マイクロコンピュータは、前記入力電力補正スイッチが押されると、前記入力電圧検知手段により検知した値が予め設定している電圧閾値よりも大きいときは、前記入力電圧検知手段により検知した値と前記入力電流検知手段により検知した値の積を予め設定している電力制御値に補正し、その補正後の値を制御値として制御する機能を有するから、入力電圧検知手段により検知した値が定格電圧より高いときには、入力電力を定格値に制御でき、ふきこぼれをなくすことができるとともに、電子部品への負担を低減することができる。
【００３０】
また、請求項２に記載の発明によれば、電力補正を自動実行するよう設定する入力電力補正切換手段を備え、前記入力電力補正切換手段により電力補正を有効にしたとき、入力電圧検知手段により検知した値が予め設定している電圧閾値よりも大きいときは、前記入力電圧検知手段により検知した値と前記入力電流検知手段により検知した値の積が予め設定している電力制御値になるように自動的に制御する機能を有するから、各電力制御値における入力電圧に対して電力補正を行うので、正確に定格電力で動作し、不必要なふきこぼれや電子部品への負担をなくすことができる。
【００３１】
また、請求項３に記載の発明によれば、入力電力補正切換手段により、電力補正を無効としたとき、入力電圧検知手段により検知した値に関わらず入力電流の補正を行わない機能を有するから、電源ノイズなどの影響により、入力電圧検知手段により検知した値が実際よりも大きいと誤判定して、必要以上に入力電力の補正を行い、入力電流制御値を小さくしすぎているときには、入力電力補正切換手段により電力補正を無効にすることで、ごはんの出来上がりを本来のおいしいものにすることができる。
【図面の簡単な説明】
【図１】本発明の第１の実施例の炊飯器のブロック図
【図２】同炊飯器の動作フローチャート
【図３】本発明の第２の実施例の炊飯器のブロック図
【図４】同炊飯器の動作フローチャート
【図５】従来の炊飯器のブロック図
【符号の説明】
１１　商用電源
１３　鍋
１４　加熱手段
１５　入力電流検知手段
１６　入力電圧検知手段
１７　操作手段
１９　入力電力補正スイッチ
２０　制御手段
２１　マイクロコンピュータ
【図１】
2004024645.tif 000003
【図２】
2004024645.tif 000004
【図３】
2004024645.tif 000005
【図４】
2004024645.tif 000006
【図５】
2004024645.tif 000007